(57)【要約】【課題】長円型のスピーカにおいて、振動板の背後に配したＬＥＤで振動板を光らせること。【解決手段】フレーム７の上下の壁２１には開口２４が設けられ、傾斜壁２２には投光窓２３が設けられている。フランジ部８の裏面には端子支持部２５が固定され、それぞれに音声信号入力端子２７（＋端子、−端子）が取り付けられている。一端を音声信号入力端子２７に結ばれたリード線は開口２４を通ってボイスコイル１９に達している。フレーム７の後端部にはプリント基板２９が取り付けられ、プリント基板２９には４個のＬＥＤ３１が実装されている。各ＬＥＤ３１は投光窓２３の内側に位置しており、ＬＥＤ３１から照射された光で振動板３が光る。音声信号入力端子２７を傾斜壁２２に取り付けないので、その場所を投光窓２３にできる。リード線はＬＥＤ３１からの光路を横切らないので振動板３に影が映らない。【選択図】図１
2008141472.tif 000002
【特許請求の範囲】
【請求項１】
開口形状が長円形の振動板と、
前記振動板の小径側端部と連結されたボビンと、
前記ボビンに巻回されたボイスコイルと、
前記ボビンを該ボビンの軸方向に振動可能に支持するダンパと、
前記振動板のエッジ及び前記ダンパの外周部を支持するフレームと、
前記フレームに取り付けられた音声信号入力端子と前記ボイスコイルとをつなぐリード線と
を備える長円型スピーカにおいて、
前記振動板を透光性のプラスチック製とし、
前記振動板の背後に配されて前記振動板に光を照射する複数のＬＥＤを備え、
前記振動板の長軸を挟んで片側に前記音声信号入力端子の＋端子を、反対側に前記音声信号入力端子の−端子を配した
ことを特徴とする長円型スピーカ。
【請求項２】
請求項１記載の長円型スピーカにおいて、
前記リード線は、前記ＬＥＤから放射されて前記振動板に入射する光の光路を横切らない位置を通って配線されている
ことを特徴とする長円型スピーカ。
【発明の詳細な説明】
【技術分野】
【０００１】
本発明は、スピーカの技術分野に属する。
【背景技術】
【０００２】
開口形状が長円形の振動板（コーン）を用いた長円型スピーカは、幅の狭いスペース等へ設置し易い、振動板が長径方向へ広がっている分で振動板面積を稼ぐことができて低域再生を向上させることができる、振動板の短径方向には指向性が弱まり長径方向には指向性が強まるため、特定方向にのみ強い指向性が要求される場合に有用である等のメリットがある。
【特許文献１】特開２００５−２１７７１３号公報（図２）
【発明の開示】
【発明が解決しようとする課題】
【０００３】
特許文献１の図２に記載の通り、従来の長円型スピーカにおいては、音声信号入力端子（＋端子、−端子）は、振動板の長軸の背後になる位置でフレームの外周面に取り付けられていた。
【０００４】
しかし、振動板を透光性のプラスチック製とし、その振動板の背後にＬＥＤを配して、ＬＥＤの光を振動板に照射して光らせようとすると、フレームの音声信号入力端子が取り付けられている部分が邪魔になるという問題があった。
【課題を解決するための手段】
【０００５】
請求項１記載の長円型スピーカは、開口形状が長円形の振動板と、前記振動板の小径側端部と連結されたボビンと、前記ボビンに巻回されたボイスコイルと、前記ボビンを該ボビンの軸方向に振動可能に支持するダンパと、前記振動板のエッジ及び前記ダンパの外周部を支持するフレームと、前記フレームに取り付けられた音声信号入力端子と前記ボイスコイルとをつなぐリード線とを備える長円型スピーカにおいて、
前記振動板を透光性のプラスチック製とし、
前記振動板の背後に配されて前記振動板に光を照射する複数のＬＥＤを備え、
前記振動板の長軸を挟んで片側に前記音声信号入力端子の＋端子を、反対側に前記音声信号入力端子の−端子を配した
ことを特徴とする。
【０００６】
この長円型スピーカでは、振動板を透光性のプラスチック製とし、その振動板の背後に配されて振動板に光を照射する複数のＬＥＤを備えたので、ＬＥＤの光で振動板を発光させることができる。
【０００７】
音声信号入力端子は、振動板の長軸を挟んで片側に＋端子を、反対側に−端子を配したので、従来技術では音声信号入力端子が取り付けられていた部分（フレームの一部）はその役割から解放される。従って、この部分にＬＥＤの光を通すための開口（窓）を設けることができ、上記の課題は解決される。
【０００８】
請求項２記載の長円型スピーカは、請求項１記載の長円型スピーカにおいて、前記リード線は、前記ＬＥＤから放射されて前記振動板に入射する光の光路を横切らない位置を通って配線されていることを特徴とするので、リード線の影が振動板に映ることはなく、見栄えが良くなる。
【発明を実施するための最良の形態】
【０００９】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
実施例の説明で参照する図１は長円型スピーカ１の三面図、図２はＢ−Ｂ断面図、図３はＣ−Ｃ断面図、図４はＤ−Ｄ断面図である。
【００１０】
これらの図に示すように、長円型スピーカ１は、開口部の外周形状が長円形（陸上競技のトラック形）の振動板３を備えている。
この振動板３は、透光性の合成樹脂、例えばポリカーボネート、ポリエチレン、アクリル、ＰＥＴ等のシートを長円型のコーン形状に成形したものであるが、その片面または両面には、図５〜７に例示するような光拡散パターンが設けられている。
【００１１】
図５に示す光拡散パターンは、直線状の凸条を縦、横、斜めの格子状に配置した構造、図６に示す光拡散パターンは、直線状の凸条を平行に配置した構造、図７に示す光拡散パターンは、凸条を大小の同心円状に配置した基本パターンを繰り返す構造である。なお、光拡散パターンを構成する凸条の断面形状は、三角形、台形、円弧等とされる。
【００１２】
振動板３の外周縁部はエッジ５に接合され、このエッジ５の周縁部がフレーム７のフランジ部８とリング９とによって保持されている。エッジ５も振動板３と同様の透光性の合成樹脂製で、同様に光拡散パターンが設けられている。
一方、振動板３の小径側端部はボビン１０に連結されている。ボビン１０は、ダンパ１１によって、軸方向に振動可能に支持されており、そのダンパ１１の外周部がフレーム７に連結されている。
【００１３】
また、フレーム７には、マグネット１３、ヨーク１５及びセンターポール１６にて構成される磁気回路部１７が取り付けられており、ボビン１０に巻回されたボイスコイル１９がヨーク１５とセンターポール１６間に形成された間隙（磁気ギャップ）内に位置している。
【００１４】
フレーム７は、フランジ部８に対してほぼ垂直な上下の壁２１と左右の傾斜壁２２とを有する、略台形状である。上下の壁２１には、フレーム７の内部を臨ませる長方形の開口２４が設けられ、傾斜壁２２には半円状の投光窓２３が設けられている。
【００１５】
フランジ部８の裏面には、各開口２４に対面するようにして端子支持部２５が固定されており、それぞれに音声信号入力端子２７（一方が＋端子、他方が−端子）が取り付けられている。そして、これら音声信号入力端子２７に一端を半田付けされたリード線（図示せず）がボイスコイル１９に結ばれている。
【００１６】
また、フレーム７の後端部にはプリント基板２９が、ねじ３０によって取り付けられている。このプリント基板２９には４個のＬＥＤ３１が実装されている。
各ＬＥＤ３１は、図１（ｂ）、（ｃ）及び図２に良好に示されるとおり、傾斜壁２２の投光窓２３の内側に位置しており、ＬＥＤ３１を発光させると、その光が振動板３及びセッジ５の背面に照射される。振動板３及びエッジ５は、上述の通り透光性で、しかも光拡散パターンが設けられているので、ＬＥＤ３１から発せられた光は振動板３及びエッジ５に設けられた光拡散パターンによって拡散させられて放射される。従って、振動板３及びエッジ５の広い範囲を発光による装飾効果のために利用できる。
【００１７】
しかも、ＬＥＤ３１から出た光が振動板３及びエッジ５を透過する際に拡散されるので、振動板３及びエッジ５の発光面積に対してＬＥＤ３１の数が少なくても、振動板３及びエッジ５の広い範囲を光らせることができる。
【００１８】
また、振動板３は光拡散パターンが設けられたシートをコーン形状に成形したものであるから、その成形に伴って光拡散パターンにひずみが生じている。このひずみがあるために、例えば振動板３の中心部（ボビン１０側）と外周部（エッジ５側）とで輝度が変化する等、光拡散パターンが設けられた平坦なシートに光を照射したときに比べて、拡散のパターンが変化に富んだものになっている。
【００１９】
なお、音声信号入力端子２７とボイスコイル１９とを結ぶリード線は、上下の壁２１の開口２４からフレーム７の内側に入って、上下の壁２１の内面に沿うようにして、ＬＥＤ３１から放射されて振動板３に入射する光の光路を横切らない位置を通って配線されてボイスコイル１９に達している。このため、リード線の影が振動板３に映ることはなく、見栄えが良くなる。
【００２０】
従来の長円型スピーカの場合、傾斜壁２２の投光窓２３が設けられている部分に音声信号入力端子が取り付けられていた。しかし、本実施例では、上下の壁２１それぞれに設けられた開口２４に対面する位置に各１つの音声信号入力端子２７（＋端子又は−端子）を配している。つまり、振動板３の長軸を挟んで片側に＋端子を、反対側に−端子を配したので、従来技術では音声信号入力端子が取り付けられていた部分（フレーム７の投光窓２３）はその役割から解放され、ここに投光窓２３を設けることができた。そして、フレーム７の背後に取り付けたプリント基板２９に実装されたＬＥＤ３１からの光を投光窓２３から振動板３に照射することが可能になり、ＬＥＤ３１の光で振動板３を発光させることができた。
【図面の簡単な説明】
【００２１】
【図１】実施例の長円型スピーカの三面図。
【図２】実施例の長円型スピーカのＢ−Ｂ断面図。
【図３】実施例の長円型スピーカのＣ−Ｃ断面図。
【図４】実施例の長円型スピーカのＤ−Ｄ断面図。
【図５】実施例の長円型スピーカの斜視図。
【図６】実施例の長円型スピーカで振動板に設けた光拡散パターンの例示図（１）。
【図７】実施例の長円型スピーカで振動板に設けた光拡散パターンの例示図（２）。
【図８】実施例の長円型スピーカで振動板に設けた光拡散パターンの例示図（３）。
【符号の説明】
【００２２】
１・・・長円型スピーカ、
３・・・振動板、
５・・・エッジ、
７・・・フレーム、
１０・・・ボビン、
１１・・・ダンパ、
１７・・・磁気回路部、
１９・・・ボイスコイル、
２３・・・投光窓、
２７・・・音声信号入力端子、
２９・・・プリント基板。
【図１】
2008141472.tif 000003
【図２】
2008141472.tif 000004
【図３】
2008141472.tif 000005
【図４】
2008141472.tif 000006
【図５】
2008141472.tif 000007
【図６】
2008141472.tif 000008
【図７】
2008141472.tif 000009
【図８】
2008141472.tif 000010